(57)【要約】【課題】シリンダの回転スピードに数種類のモードを持つ記録再生装置で、モードに応じた正確な磨耗量を推測し、より適切な交換時期を推測する。【解決手段】シリンダの回転スピードが異なる記録再生モードに応じて回転時間のカウントを行う係数を切り替えることにより、ヘッドの磨耗量をより正確に推測する。【選択図】図１
2005141842.tif 000002
【特許請求の範囲】
【請求項１】
基準クロックを発生する基準クロック発生手段と、
記録再生のモードを判別する記録再生モード判別手段と、
前記基準クロックを逓倍または分周する第１の逓倍分周手段と、
前記基準クロックを第１の逓倍分周手段とは異なる倍数で逓倍または分周する第２の逓倍分周手段と、
前記記録再生モード判別手段の判別結果が第１のモードであるときは第１の逓倍分周手段からの出力を出力し、前記記録再生モード判別手段の判別結果が第２のモードであるときは第２の逓倍分周手段からの出力を出力する切り替え手段と、
回転ヘッドが設けられたシリンダと、
前記シリンダの回転情報を計測するシリンダ回転情報計測手段と、
前記シリンダ回転情報計測手段からのシリンダ回転情報に基づいて前記切り替え手段からの基準クロックをカウントして回転時間を積算する計時手段と、
前記計時部で積算した回転時間が所定の時間以上となったときに表示を行う表示部とを有する記録再生装置。
【請求項２】
基準クロックを発生する基準クロック発生手段と、
記録再生のモードを判別する記録再生モード判別手段と、
前記記録モード判別手段からの出力に基づいて基準クロックを逓倍または分周する逓倍分周手段と、
回転ヘッドが設けられたシリンダと、
前記シリンダの回転情報を計測するシリンダ回転情報計測手段と、
前記シリンダ回転情報計測手段からのシリンダ回転情報に基づいて前記逓倍分周手段からの基準クロックをカウントして回転時間を積算する計時手段と、
前記計時部で積算した回転時間が所定の時間以上となったときに表示を行う表示部とを有する記録再生装置。
【請求項３】
基準クロックを発生する基準クロック発生手段と、
記録再生のモードを判別する記録再生モード判別手段と、
前記記録モード判別手段からの出力に基づいて基準クロックを逓倍または分周する逓倍分周手段と、
テープを走行させるリールと、
前記リールの回転情報を計測する回転情報計測手段と、
前記回転情報計測手段からの回転情報に基づいて前記逓倍分周手段からの基準クロックをカウントして回転時間を積算する計時手段と、
前記計時部で積算した回転時間が所定の時間以上となったときに表示を行う表示部とを有する記録再生装置。
【発明の詳細な説明】
【技術分野】
【０００１】
本発明は、ヘッドの磨耗量の推測を行う記録再生装置に関する。
【背景技術】
【０００２】
回転ヘッドを有するシリンダ（ドラム）にテープを巻きつけて記録再生を行う記録再生装置において、シリンダ（ドラム）の回転時間を計測する機能として、アワーメーターの機能がある（例えば、特許文献１参照）。シリンダの回転時間を計測する意味は、シリンダに取り付けられているヘッドの磨耗量を推測し、交換時期の目安とする為であり、その目的で実用化されていた。
【０００３】
図３は、従来の実装形態を示すための説明図である。１は回転時間のカウントをする上で基準となるクロックを発生する基準クロック発生器である。２はシリンダ４の回転情報を計測するシリンダ回転情報計測部３からのシリンダ回転情報に基づき、基準クロックの数をカウントしそれを積算する計時部である。５は計時した結果を表示する表示部である。シリンダ４が回転を行っている間は、計時部５で基準クロック１の数を数え、表示部５で表示された数値を見てシリンダがどのくらいの時間回転したかを知ることが出来る。また追加機能として、回転時間が任意に定められた規定時間を超過すると、記録再生装置の本体での表示を行う機能を持たせることも出来る。
【特許文献１】特開平０９−２７０１１３号公報
【発明の開示】
【発明が解決しようとする課題】
【０００４】
近年、記録再生装置における機能が多様化し、画質モードを切り替えられるようになり、その切り替えを行う為に記録再生時のシリンダ回転数が複数変化するモードを持つ装置が登場して来た。そのような装置においては、シリンダの回転数が従来のスピードに対して数倍早くなる場合もしくは逆に数分の一になる場合がある。そういう時には、回転数に応じてヘッドの磨耗量が異なってくるが、シリンダの回転した時間のみを計測する従来の記録再生装置ではアワーメーターの計測がシリンダの回転数に対して正確性を欠くため、ヘッド交換時期を見誤る可能性があるという問題点があった。ヘッドの磨耗量を推測し、交換時期の目安とする目的においては、この欠点は大きな障害である。具体的には、たとえばシリンダが従来に対し高速回転するモードの場合には、低速回転のモードに比べヘッドが媒体に当たって磨耗する度合いが高くなり、その結果磨耗量が多くなり、既にヘッド寿命が来ているにもかかわらずアワーメーター上はまだ使えるとの判断になってしまう、などの問題があった。
【０００５】
本発明はこのような問題点に鑑み、記録再生時のシリンダ回転数が変化する記録再生装置において、ヘッド交換時期を正確に判断することのできる記録再生装置を提供することを目的とする。
【課題を解決するための手段】
【０００６】
上記課題を解決するために本発明は、基準クロックを発生する基準クロック発生手段と、記録再生のモードを判別する記録再生モード判別手段と、前記基準クロックを逓倍する第１の逓倍手段と、前記基準クロックを第１の逓倍手段とは異なる倍数で逓倍する第２の逓倍手段と、前記記録再生モード判別手段の判別結果が第１のモードであるときは第１の逓倍手段からの出力を出力し、前記記録再生モード判別手段の判別結果が第２のモードであるときは第２の逓倍手段からの出力を出力する切り替え手段と、回転ヘッドが設けられたシリンダと、前記シリンダの回転情報を計測するシリンダ回転情報計測手段と、前記シリンダ回転情報計測手段からのシリンダ回転情報に基づいて前記切り替え手段からの基準クロックをカウントして回転時間を積算する計時手段と、前記計時部で積算した回転時間が所定の時間以上となったときに表示を行う表示部とを有する記録再生装置としたものである。
【発明の効果】
【０００７】
本発明の記録再生装置は、通常回転とシリンダが高速回転する場合と低速回転する場合、それぞれにおいてアワーメーターの計測方法を切り替えるので、より正確なヘッド磨耗量の推測が可能になり、ヘッド交換時期を正確に判断することができるという利点がある。
【発明を実施するための最良の形態】
【０００８】
本発明の実施の形態について、図１を参照して説明する。図１は、本発明の実施の形態における記録再生装置のブロック図であって、１〜５は図２と同様であるので説明は省略する。６はシリンダ低速回転時の基準クロックに対する係数を基準クロックに対して掛け合わせる第１の逓倍分周回路であり、７はシリンダ高速回転時の基準クロックに対する係数を基準クロックに対して掛け合わせる第２の逓倍分周回路である。第１の逓倍分周回路６および第２の逓倍分周回路７においては、設定されている係数が１よりも大きい場合は入力される信号の周波数を逓倍し、係数が１よりも小さい場合は入力される信号の周波数を分周する。９はモード情報判別手段８によって判別された現在の記録再生モードが高速か低速かを表すモード情報に基づいて、その出力を第１の逓倍分周回路６および第２の逓倍分周回路７のいずれかに切り替えるためのスイッチである。
【０００９】
低速回転時の回転時間とヘッド磨耗量の関係が既知とする。それに対して、高速回転機能を有する場合においては、高速回転時にヘッドの磨耗量が仮に２倍であった場合、低速回転時の第１の逓倍分周回路６の係数を１（ｘ１）とするのに対して第２の逓倍分周回路７の係数を２（ｘ２）とする。そして、モード情報８に基づいてその両者を切り替えて計時部２で基準クロックの計時と回転時間の積算を行う。
【００１０】
本実施の形態の記録再生装置は、低速及び高速の２種類のシリンダ回転スピードを持っているので、それにあわせて第１の逓倍分周回路６および第２の逓倍分周回路７で２種類の係数を用意し、それらを切り替える構成としている。しかしながら、本発明は２種類以上のシリンダ回転スピードに対応することが可能である。すなわち、モード情報判別手段８が記録再生装置が具備する複数の回転スピードに応じて各モードを判別するようにし、判別した各モードに対応した逓倍分周回路を用意することで対応することが出来る。そのように構成することにより、それぞれのシリンダ回転スピードに対して正確な積算が可能になり、より正確にヘッド磨耗量を推測することが出来、ヘッド交換のより適切な時期における実施におおいに役立つ。
【００１１】
なお、逓倍分周回路は、本実施の形態のように複数用意してもよいし、モード情報判別手段８の出力をひとつの逓倍分周回路に入力し、その入力に応じて係数を求め、その係数倍だけ基準クロックの周波数を逓倍または分周するようにしてもよい。
【００１２】
なお、係数は、記録再生装置が具備する複数のシリンダ回転スピードが高速であっても低速であっても、それぞれに応じてヘッドの摩耗量を実験などで測定し、その結果を設定することが可能である。
【００１３】
なお、本実施の形態では、シリンダの回転に応じて基準クロックを逓倍または分周して計時するように構成したが、それに加えテープの走行に応じて基準クロックの逓倍量または分周量を補正して計時するようにしてもよい。これは、ヘッドの摩耗量の大部分はシリンダの回転速度により決定されるが、テープの走行量にも影響されるからである。テープの走行を計測するには、テープを走行させるためのリールやキャプスタンの回転を計測する方法等が考えられる。  
【００１４】
なお、本発明は、ヘッドの磨耗のみならず、やはり複数のスピードによる影響で磨耗量が異なってくる場合のある、テープ走行のメカニズム部分の交換時期を推測することも可能である。映像を再生する際に、通常再生に対し、早送り再生、スロー再生など、テープ走行速度が様々に変化する。それに伴い、テープが走行するメカニズム部分においても摩耗量が変化してくる。例えば通常再生のテープ走行時間とその摩耗量が既知とする。それに対して、早送り再生の場合、よりテープ走行量が増え、その結果摩耗が増えることになる。またスロー再生の時には、テープ走行量が減少し、その結果摩耗量が減ることになる。これらに対応するために逓倍量または分周量を切り替えて走行時間の計時を行うのである。図２は、一例としてリール回転数を計測することで基準クロックの逓倍量または分周量を補正して計時する記録再生装置のブロック図である。この構成は、本実施の形態のシリンダ回転情報計測部３、シリンダ４の代わりに、テープを供給および巻き取るリール１４と、リール１４の回転情報を計測するリール回転情報計測部１３とを備えている。動作については、リール１４が回転していることをリール回転情報計測部１３で計測し、リールが回転している間は計時部５で基準クロック１の数を数える以外は、本実施の形態と同様である。
【産業上の利用可能性】
【００１５】
本発明は、より正確なヘッド磨耗量の推測が可能になり、ヘッド交換時期を正確に判断することができるため、業務用の記録再生装置において特に有効である。
【図面の簡単な説明】
【００１６】
【図１】本発明の記録再生装置の１実施の形態を示したブロック図
【図２】本発明の記録再生装置の別の実施の形態を示したブロック図
【図３】従来の記録再生装置のブロック図
【符号の説明】
【００１７】
１  基準クロック発生器
２  計時部
３  シリンダ回転情報計測部
４  シリンダ
５  表示部
６  第１の逓倍回路
７  第２の逓倍回路
８  モード情報判別手段
９  切り替えスイッチ
１３  リール回転情報計測部
１４  リール
【図１】
2005141842.tif 000003
【図２】
2005141842.tif 000004
【図３】
2005141842.tif 000005